(57)【要約】      （修正有）【課題】簡易的に組み立てることができるうちわであって、扇面部と柄との連結領域が折れ曲がらないうちわを提供する。【解決手段】簡易組立式うちわは、板状材を組み立ててなる簡易組立式うちわである。組み立て前の板状材は、扇領域１１Ａと連結領域１１Ｂと切れ込み部１１Ｃとを有する扇面部１１と、扇面部の連結領域を経由して所定方向に伸びる第１支持中央片１２と、第１支持中央片の両側に形成された一対の第１補強支持側片１３，１４と、第１支持中央片から所定方向に伸びる第２支持中央片１５と、を備える。また、組み立てに際しては、一対の第１補強支持側片が第１支持中央片に折り曲げられると共に一対の第１補強支持側片１３，１４を第１支持中央片１２との間に挟むように第２支持中央片１５が折り曲げられて係合部が切れ込み部に係合する。【選択図】図１
0003178237.tif 000002
【実用新案登録請求の範囲】
【請求項１】
板状材を組み立ててなる簡易組立式うちわであって、組み立て前の板状材は、
風を起こす扇領域と、柄に連結する連結領域と、前記扇領域と前記連結領域との中間に形成された切れ込み部とを有する扇面部と、
前記扇面部の連結領域を経由して所定方向に伸びる第１支持中央片と、
前記第１支持中央片の両側に形成された一対の第１補強支持側片と、
前記第１支持中央片から前記所定方向に伸びる第２支持中央片と、を備え、
前記第２支持中央片の前記扇面部の反対側の端部は、前記扇面部の前記連結領域と同形状の前記扇面補強部と、前記扇面補強部から伸びた係合部とを有し、
組み立てに際しては、前記一対の第１補強支持側片が前記第１支持中央片に折り曲げられると共に前記一対の第１補強支持側片を前記第１支持中央片との間に挟むように前記第２支持中央片が折り曲げられて前記係合部が前記切れ込み部に係合し、前記第１支持中央片と前記一対の第１補強支持側片と前記第２支持中央片とによって前記柄が形成される簡易組立式うちわ。
【請求項２】
さらに、前記第２支持中央片の両側に形成された一対の第２補強支持側片を備え、
組み立てに際しては、前記一対の第２補強支持側片が前記第２支持中央片に折り曲げられると共に前記前記一対の第２補強支持側片を前記第１補強支持側片との間に挟むように前記第２支持中央片が折り曲げられる請求項１に記載の簡易組立式うちわ。
【請求項３】
前記切れ込み部は直線状又は前記柄側に膨らんだ円弧状であり、前記係合部の外周は直線状又は円弧状に形成される請求項１又は請求項２に記載の簡易組立式うちわ。
【請求項４】
前記第１支持中央片は第１面積の第１貫通孔を有し、前記一対の第１補強支持側片はそれぞれ前記第１面積よりも大きい第２貫通孔を有し、前記第２支持中央片は前記第１貫通孔を有し、
組み立てた際に、前記第１貫通孔と前記第２貫通孔とが重なり合い、前記扇面部の法線方向から見た際に、前記第１貫通孔のみが見える請求項１に記載の簡易組立式うちわ。
【請求項５】
板状材を組み立ててなる簡易組立式うちわであって、組み立て前の板状材は、
風を起こす扇領域と、柄に連結する連結領域と、前記扇領域と前記連結領域との中間に形成された一対の切れ込み部とを有する扇面部と、
前記扇面部の連結領域を経由して所定方向に伸びる支持中央片と、
前記支持中央片の両側に形成された一対の補強支持側片と、
前記支持中央片と前記一対の補強支持側片との間に形成され、立体的に組み立てられる一対の立体支持片と、を備え、
前記一対の補強支持側片の前記扇面部の端部は、それぞれ前記扇面部の前記連結領域と同形状の前記扇面補強部と、前記扇面補強部から伸びた係合部とを有し、
組み立てに際しては、前記一対の第１補強支持側片が、前記第１支持中央片に折り曲げられ前記係合部が前記切れ込み部に係合すると共に前記一対の立体支持片と前記支持中央片との間に挟まれ、前記支持中央片と前記一対の第１補強支持側片と前記一対の立体支持片とによって前記柄が形成される簡易組立式うちわ。
【請求項６】
前記切れ込み部は前記柄側の斜め方向に膨らんだ円弧状であり、前記係合部の外周は円弧状に形成される請求項５に記載の簡易組立式うちわ。
【考案の詳細な説明】
【技術分野】
【０００１】
本発明は、会社名や商品等の宣伝、広告用として適した簡易的に組み立てることができるうちわに関する。特に一枚の段ボール、紙又はプラスチックを折り曲げて製造されるうちわに関するものである。
【背景技術】
【０００２】
近年、材料が安価で製造工程も単純な板紙などの比較的に剛性ある紙材料又はプラスチックシートから円形に打ち抜いてその基端部に指穴を形成したうちわが製造されている。このうちわは、宣伝、サービス品として普及している。しかし、この厚手の板紙のうちわは、指穴が円形うちわの周縁部近傍に設けられているために、該指穴とうちわ周縁部の間の把持部となる板紙部分が少なくて強度が不十分である。また、使用時に、掌に発汗でもあると掌に接する該板紙部分の剛性がなくなりうちわの揺動起点である該把持部が機能しないといった問題があった。また、指を入れて扇ぐことは柄をもって扇ぐよりも扇ぎにくいという問題があった。
【０００３】
このため、特許文献１に開示されるように、簡易的に組み立てることができるうちわが提案されている。特許文献１で提案されるうちわは、補強板が柄の表裏に折り重ねさらに補強板の差込み片を受け溝に差し込んだ後、表裏の差込み片どうしが互いに押さえ込む状態で補強板を固定している。このため、紙の柄であっても補強板で柄が補強されている。
【先行技術文献】
【特許文献】
【０００４】
【特許文献１】特開平０７−２７５８０８号公報
【考案の概要】
【考案が解決しようとする課題】
【０００５】
しかし、補強板の先端が扇面部の一部にしか重なっていないため、うちわを扇ぐと扇面部と柄との連結領域において、扇面部が折れ曲がってしまい、扇ぐことができなくなることがあった。
【課題を解決するための手段】
【０００６】
そこで、簡易的に組み立てることができるうちわであっても、扇面部と柄との連結領域が折れ曲がらないうちわを提供することを目的とする。
【０００７】
第１の観点の簡易組立式うちわは、板状材を組み立ててなる簡易組立式うちわである。そして、組み立て前の板状材は、風を起こす扇領域と柄に連結する連結領域と扇領域と連結領域との中間に形成された切れ込み部とを有する扇面部と、扇面部の連結領域を経由して所定方向に伸びる第１支持中央片と、第１支持中央片の両側に形成された一対の第１補強支持側片と、第１支持中央片から所定方向に伸びる第２支持中央片と、を備える。そして、第２支持中央片の扇面部の反対側の端部は、扇面部の連結領域と同形状の扇面補強部と扇面補強部から伸びた係合部とを有する。また、組み立てに際しては、一対の第１補強支持側片が第１支持中央片に折り曲げられると共に一対の第１補強支持側片を第１支持中央片との間に挟むように第２支持中央片が折り曲げられて係合部が切れ込み部に係合し、第１支持中央片と一対の第１補強支持側片と第２支持中央片とによって柄が形成される。
【０００８】
第２の観点の簡易組立式うちわは、さらに、第２支持中央片の両側に形成された一対の第２補強支持側片を備える。組み立てに際しては、一対の第２補強支持側片が第２支持中央片に折り曲げられると共に一対の第２補強支持側片を第１補強支持側片との間に挟むように第２支持中央片が折り曲げられる。
【０００９】
第３の観点の簡易組立式うちわは、その切れ込み部が直線状又は柄側に膨らんだ円弧状であり、係合部の外周が直線状又は円弧状に形成される。
【００１０】
第４の観点の簡易組立式うちわは、第１支持中央片は第１面積の第１貫通孔を有し、一対の第１補強支持側片はそれぞれ第１面積よりも大きい第２貫通孔を有し、第２支持中央片は第１貫通孔を有し、組み立てた際に、第１貫通孔と第２貫通孔とが重なり合い、扇面部の法線方向から見た際に、第１貫通孔のみが見える。
【００１１】
第５の観点の簡易組立式うちわは、板状材を組み立ててなる簡易組立式うちわである。その組み立て前の板状材は、風を起こす扇領域と、柄に連結する連結領域と、扇領域と連結領域との中間に形成された一対の切れ込み部とを有する扇面部と、扇面部の連結領域を経由して所定方向に伸びる支持中央片と、支持中央片の両側に形成された一対の補強支持側片と、支持中央片と一対の補強支持側片との間に形成され、立体的に組み立てられる一対の立体支持片と、を備える。そして、一対の補強支持側片の扇面部の端部は、それぞれ扇面部の連結領域と同形状の扇面補強部と、扇面補強部から伸びた係合部とを有す。また、組み立てに際しては、一対の第１補強支持側片が、第１支持中央片に折り曲げられ係合部が切れ込み部に係合すると共に一対の立体支持片と支持中央片との間に挟まれ、支持中央片と一対の第１補強支持側片と一対の立体支持片とによって柄が形成される。
【００１２】
第６の観点の簡易組立式うちわは、その切れ込み部が柄側の斜め方向に膨らんだ円弧状であり、係合部の外周が円弧状に形成される。
【考案の効果】
【００１３】
本考案は、扇面部と柄との連結領域が折れ曲がらず、且つ簡易的に組み立てることができるうちわを提供することができる。
【図面の簡単な説明】
【００１４】
【図１】うちわ１０Ａの展開図を示す。
【図２】組み立て完了後のうちわ１０Ａで、（ａ）はその表面、（ｂ）はその裏面である。
【図３】うちわ１０Ｂの展開図を示す。
【図４】板状材から、うちわ１０Ｂを２つ作成する例を示した図である。
【図５】うちわ１０Ｃの展開図を示す。
【図６】板状材から、うちわ１０Ｃを組み立てる手順を説明した図である。
【図７】組み立て完了後のうちわ１０Ｃで、（ａ）はその表面、（ｂ）はそのＹ軸方向から見た側面である。
【考案を実施するための形態】
【００１５】
本考案は、第１実施形態から第３実施形態を開示する。図１、図３及び図５の展開図では、実線が切断線を示し、一点鎖線が折り曲げ線を示している。また、組み立て時を容易に理解できるように、点線が仮想線を示している。
【００１６】
＜第１実施形態＞
図１は、本考案の一実施形態であるうちわの展開図を示す。図１に示すように、本実施形態のうちわ１０Ａは、大別して扇面部１１と柄４０とからなり、板状材から組み立てられる。扇面部１１は、略円形又は多角形の形状である。扇面部１１は、風を起こす扇領域１１Ａと扇領域１１Ａと柄４０とを連結する連結領域１１Ｂとを有する。連結領域１１Ｂは、基点Ｐから約１１０°方向に広がり扇状の領域で、点線１６ｅで描かれるところまで広がる。扇面部１１は、扇領域１１Ａと連結領域１１Ｂとの間に、板状材を切り込んだ切り込み部１１Ｃを有する。切り込み部１１Ｃは、図１では−Ｙ軸側に円弧状に切り込まれている。
【００１７】
連結領域１１Ｂから柄４０が伸びている。柄４０は、第１支持中央片１２と第２支持中央片１５と第１補強支持側片１３，１４とからなる。第１支持中央片１２は、扇面部１１から所定の幅で−Ｙ軸方向に突出する。第２支持中央片１５は、第１支持中央片１２の−Ｙ側の端（折り曲げ部）３１から伸びて形成される。第２支持中央片１５は、折り曲げ線３１を基準として第１支持中央片１２に対してほぼ線対称である。
【００１８】
第２支持中央片１５の−Ｙ軸側の先端は、扇面補強部１６が形成されている。扇面補強部１６は、基点Ｐ’から約１１０°方向に広がる扇状である。折り曲げ線３１を基準として第２支持中央片１５が折り曲げられると、扇面補強部１６は、扇面部１１の連結領域１１Ｂと重なり合う。つまり、第２支持中央片１５が折り曲げられると、扇面補強部１６の周辺１６ｅは、点線１６ｅに重なり合う。
【００１９】
扇面補強部１６の−Ｙ軸側の先端に、係合部１７が形成されている。係合部１７の周辺１７ｅは、図１では−Ｙ軸側に円弧状に形成されている。第２支持中央片１５が折り曲げられて、係合部１７が切り込み部１１Ｃに挿入される。挿入されると、係合部１７の周辺１７ｅは、扇領域１１Ａの裏側に入り込む。この状態を点線１７ｅで示してある。
【００２０】
第１支持中央片１２の左右（±Ｘ軸側）には、折り曲げ線３３，３４を介して第１補強支持側片１３、１４が形成されている。第１補強支持側片１３、１４の＋Ｙ軸側は、扇面部１１の連結領域１１Ｂの外周に沿って形成されている。また、第１補強支持側片１３、１４の−Ｙ軸側は、折り曲げ線３１の手前まで伸びており、折り曲げ線３１を超えて伸びることはない。また、第１補強支持側片１３、１４の幅（Ｘ軸方向）は、第１支持中央片１２の幅よりも若干狭く形成される。
【００２１】
第１支持中央片１２の−Ｙ軸側に第１貫通孔２１が形成されている。第１補強支持側片１３、１４の−Ｙ軸側にそれぞれ第２貫通孔２２が形成されている。第２支持中央片１５の＋Ｙ軸側に、第１貫通孔２１が形成されている。第１貫通孔２１はたとえば直径６ｍｍの円であり、第２貫通孔２２はたとえば直径８ｍｍの円である。第１貫通孔２１および第２貫通孔２２は、第１支持中央片１２と第２支持中央片１５と第１補強支持側片１３，１４とが組み立てられた際に、紐などを通す孔になる。第１貫通孔２１及び第２貫通孔２２は必ずしも円形である必要はない。しかし、第２貫通孔２２の直径は、第１貫通孔２１の直径よりも大きいことが望ましい。第１補強支持側片１３、１４は、それぞれ折り曲げ線３３，３４で折り曲げられる。第２貫通孔２２の直径が、第１貫通孔２１の直径と同じであると、折り曲げ線３３，３４の位置がずれたり、折り曲げがうまくいかなかったりした場合に、扇面部１１の法線方向から見ると、第２貫通孔２２の外周がはみ出してくる。すると、貫通孔が小さくなってしまい、紐などが通りにくくなる。このため、第２貫通孔２２の直径は大きく形成されている。
【００２２】
このうちわ１０Ａの組立方法は次の通りである。まず、第１補強支持側片１３、１４をそれぞれ折り曲げ線３３，３４で内側に折り曲げる。そして、折り曲げ線３１で折り返すことにより第２支持中央片１５を第１支持中央片１２に重ねる。さらに、第２支持中央片１５の係合部１７を、切り込み部１１Ｃに挿入する。すると、第１補強支持側片１３、１４が第２支持中央片１５と第１支持中央片１２とに挟まれて固定される。これによって柄４０が完成する。図２（ａ）は、完成したうちわ１０Ａの表面であり、（ｂ）は、完成したうちわ１０Ａの裏面である。
【００２３】
第１実施形態のうちわ１０Ａは、柄４０が太くなっており握りやすく、強くあおいでも手から抜ける恐れがない。また、扇面補強部１６により扇面部１１の連結領域１１Ｂが補強されているため、長時間使用しても連結領域１１Ｂが折れ曲がってしまうことがない。また、うちわ１０Ａは、糊付けが不要であるため、作業工程が減りコストを低減することができる。
【００２４】
本考案に用いられる板状材は、特にその材質や厚みを限定するものではなく、例えば、一般的に厚紙と称される各種の紙シート、もしくは一般的に硬質プラスチックと称される各種のプラスチックシート、または紙とプラスチックフィルムとの複合（積層）シート等を使用することができる。
【００２５】
板状材がプラスチックシート単体もしくは紙シート単体の場合は、その両面又は片面に素材に応じた印刷インク、印刷方法を用いて適宜に印刷すればよい。インライン方式等の印刷装置を用いて基材へ多種多色の文字、色彩等を順次印刷しても良いし、オフセット方式やスクリーン方式の印刷装置を用いても印刷しても良い。また、多色印刷装置を用いて印刷を行う場合には、１回目にＯＰ（Over Print）ニス、クリアーニス、もしくは汎用の目止め材等を印刷してもよいし、印刷インクを厚肉に印刷することにより目止め効果を得るようにしても良い。写真画像のように見える精密印刷を行うようにしても良い。また、印刷内容（図柄等）は、目的や想定される購買層の嗜好等に応じて適宜選定すれば良い。
【００２６】
＜第２実施形態＞
図３は、本考案の別の実施形態であるうちわの展開図を示す。図３に示すように第２実施形態のうちわ１０Ｂは、第１支持中央片１２の左右（±Ｘ軸側）には、折り曲げ線３５，３６を介して一対の第２補強支持側片１８、１９が形成されている。また、第２実施形態のうちわ１０Ｂは、切り込み部１１Ｃ’がＸ軸方向に伸びており、係合部１７’の外周が矩形形状に形成されている。これらの点が、第１実施形態と異なっている。以下、第１実施形態と異なる点について説明する。
【００２７】
第１支持中央片１５の左右（±Ｘ軸側）には、折り曲げ線３５，３６を介して第２補強支持側片１８、１９が形成されている。第２補強支持側片１８、１９の−Ｙ軸側は、扇面補強部１６の＋Ｙ軸側の外周に沿って形成されている。また、第２補強支持側片１８、１９の＋Ｙ軸側は、折り曲げ線３１の手前まで伸びている。第２補強支持側片１８、１９の＋Ｙ軸側は、折り曲げ線３１を超えて伸びることはない。また、第２補強支持側片１８、１９の幅（Ｘ軸方向）は、第１支持中央片１２の幅よりも若干狭く形成される。
【００２８】
また、係合部１７’の周辺１７ｅは、図３ではＸ軸方向に伸びる直線状に形成されている。一方の切り込み部１１Ｃ’もＸ軸方向に伸びている。第２補強支持側片１８、１９の＋Ｙ軸側にそれぞれ第２貫通孔２２が形成されている。第２補強支持側片１８、１９は、それぞれ折り曲げ線３５，３６で折り曲げられる。前述したと同様に、第２貫通孔２２の直径が、第１貫通孔２１の直径と同じであると、第２貫通孔２２の外周がはみ出してくるため、第２貫通孔２２の直径を大きくしている。
【００２９】
このうちわ１０Ｂの組立方法は次の通りである。まず、第１補強支持側片１３、１４をそれぞれ折り曲げ線３３，３４で内側に折り曲げる。また第２補強支持側片１８、１９をそれぞれ折り曲げ線３５，３６で内側に折り曲げる。そして、第２支持中央片１５を折り曲げ線３１で折り返し、第１支持中央片１２に重ねる。さらに、第２支持中央片１５の係合部１７’を、切り込み部１１Ｃ’に挿入する。すると、第１補強支持側片１３、１４及び第２補強支持側片１８、１９が第２支持中央片１５と第１支持中央片１２とに挟まれて固定される。これによって柄４０が完成する。
【００３０】
図４は、板状材から、うちわ１０Ｂを２つ作成する例を示した図である。一方のうちわ１０Ｂと他方のうちわ１０ＢとがＹ軸方向に逆向き配置されている。第２補強支持側片１８と扇面部１１の扇領域１１Ａとが接するように配置すると、所定面積の板状材から無駄になる部分を少なくして有効に２つのうちわ１０Ｂを作成することができる。
【００３１】
＜第３実施形態＞
図５は、本考案の別の実施形態であるうちわの展開図を示す。図５に示すように第３実施形態のうちわ１０Ｃは、第１実施形態及び第２実施形態と異なり、組み立てられると、柄４０が手で把持しやすいように、断面がほぼ円形又は楕円形（十角形）に形成されている。また、扇面補強部１６”が扇面部１１の表裏にそれぞれ形成される。このため、切り込み部１１Ｃ”が２つ形成されている。特に、切り込み部１１Ｃ”及び柄４０の構成について説明する。
【００３２】
一対の切り込み部１１Ｃ”は、扇領域１１Ａと連結領域１１Ｂとの間に形成され、且つ互いに重ならないように、切り込み部１１Ｃ”は、図５ではＹ軸に対して３０〜４５度傾いた方向に円弧状に切り込まれている。
【００３３】
第１貫通孔２１を通るＹ軸を中心線として、第３支持中央片４９の左右（±Ｘ軸側）には、折り曲げ線３２を介してそれぞれ立体支持片４３が形成されている。一対の折り曲げ線３２のほぼ中央には、立体支持片用の一対の挿入部４５が形成されている。一対の立体支持片４３の左右には、折り曲げ線３９を介してそれぞれ第３補強支持側片４１が形成されている。第３補強支持側片４１の＋Ｙ軸側は、扇面補強部１６”が形成されている。扇面補強部１６”は、連結領域１１Ｂの端と合うように広がる扇状である。また、第３補強支持側片４１の−Ｙ軸側は、折り曲げ線３８の手前まで伸びている。第３支持中央片４９の−Ｙ軸側には、舌片２９が設けられ、その舌片２９に第１貫通孔２１が形成されている。
【００３４】
一対の第３補強支持側片４１が折り曲げられると、一対の扇面補強部１６”は、表裏からそれぞれ扇面部１１の連結領域１１Ｂと重なり合う。つまり、第３補強支持側片４１が折り曲げられると、扇面補強部１６”の周辺１６”ｅは、点線１６”ｅに重なり合う。
【００３５】
扇面補強部１６”の＋Ｙ軸側には、それぞれ係合部１７”が形成される。係合部１７”の周辺１７”ｅは、図１では＋Ｙ軸側の斜め方向に円弧状に形成されている。一対の第３補強支持側片４１が折り曲げられて、それぞれの係合部１７”が切り込み部１１Ｃ”に挿入される。挿入されると、係合部１７”の周辺１７”ｅは、それぞれ扇領域１１Ａの逆側に入り込む。この状態を一対の点線１７”ｅで示してある。
【００３６】
第３補強支持側片４１の一部に、立体支持片用の差込部４２が形成されている。この差込部４２は、組み立てられた際に一対の挿入部４５に挿入される。そして、差込部４２が挿入部４５に挿入されて固定されると、組み立てられた一対の立体支持片４３が手の握力によって潰れない。
【００３７】
一対の立体支持片４３は、Ｙ軸方向に伸びる折り曲げ部３２と折り曲げ部３９との間に、複数の折り曲げ部３７がそれぞれＹ軸方向に形成されている。これらの折り曲げ部３７は、立体支持片４３を手が把持しやすいように円形又は楕円形に折り曲げるために設けられている。第３実施形態では、柄４０が十角形になるように形成されているが、折り曲げ部３７の数を減らせば八角形などに、折り曲げ部３７の数を増やせば十二角形などに形成される。
【００３８】
立体支持片４３の上側（＋Ｙ軸方向）には上側の立体補強部４４ｕが形成され、立体支持片４３の下側（−Ｙ軸側）には下側の立体補強部４４ｂが形成される。一対の立体補強部４４ｕ，４４ｂは、それぞれ折り曲げ部３８で折り曲げられて、それぞれの端が第３補強支持側片４１に接する。これにより、立体支持片４３、一対の立体補強部４４ｕ，４４ｂ及び第３補強支持側片４１が箱のようになり、組み立てられた一対の立体支持片４３が手の握力によって潰れない。
【００３９】
図６を参照して、このうちわ１０Ｃの組立方法を説明する。第１貫通孔２１を通るＹ軸を中心線として、左側の第３補強支持側片４１及び立体支持片４３等の組み立てを説明する。まず、（１）立体支持片４３の複数の折り曲げ部３７を折り曲げて、Ｚ軸方向から見て半円形又は半楕円形にする。そして、立体支持片４３を折り曲げ部３２で折り曲げるとともに、第３補強支持側片４１を折り曲げ部３９で折り曲げる。（２）すると、扇面補強部１６”が扇面部１１の連結領域１１Ｂと重なり合い、係合部１７”が切り込み部１１Ｃ”の付近に位置づけられる。そして、係合部１７”が切り込み部１１Ｃ”に挿入される。
【００４０】
（３）次に、立体支持片用の差込部４２が挿入部４５に挿入される。（４）さらに、立体補強部４４ｕ，４４ｂが、それぞれ折り曲げ部３８で折り曲げられて、それぞれの端が第３補強支持側片４１に接する。すると、左側の第３補強支持側片４１及び立体支持片４３等が組み立てた。なお、上記（２）工程と（３）工程とは逆になってもよい。次に、第１貫通孔２１を通るＹ軸を中心線として、右側の第３補強支持側片４１及び立体支持片４３等が、上述と同様に組み立てられる。これによって柄４０が完成する。
【００４１】
図７（ａ）は、完成したうちわ１０Ｃの表面であり、（ｂ）は、−Ｙ軸側から見たうちわ１０Ｃの側面である。第３実施形態のうちわ１０Ｃは、柄４０が太くなっており握りやすく、強くあおいでも手から抜ける恐れがない。また、表裏の扇面補強部１６”により扇面部１１の連結領域１１Ｂが補強されているため、長時間使用しても連結領域１１Ｂが折れ曲がってしまうことがない。
【００４２】
各部位の形状及び寸法は特に図示の実施形態のものに限定するものではなく、適宜に設計変更することができる。例えば子供向け又は女性向けの場合には子供や女性の細い指を考慮し、第１支持中央片１２などを小さめにすれば良い。
【００４３】
そして、うちわ１０Ａ、うちわ１０Ｂ又はうちわ１０Ｃの組み立ては、極めて簡単な作業により組み立てられ、糊付け等の必要もないので、僅か数秒もしくは十数秒で完成する。
【符号の説明】
【００４４】
１０Ａ，１０Ｂ  …  うちわ
１１  …  扇面部（１１Ａ  …  扇領域、１１Ｂ  …  連結領域、１１Ｃ、１１Ｃ’  …切り込み部）
１２  …  第１支持中央片
１３，１４  …  第１補強支持側片
１５  …  第２支持中央片
１６  …  扇面補強部
１７，１７’、１７”   …  係合部
１８，１９  …  第２補強支持側片
２１  …  第１貫通孔，２２  …  第２貫通孔
舌片２９
３１〜３９  …  折り曲げ線
４０  …  柄
４１  …  第３補強支持側片
４２  …  差込部
４３  …  立体支持片
４４  …  立体補強部
４５  …  挿入部
４９  …  第３支持中央片
【図１】
0003178237.tif 000003
【図２】
0003178237.tif 000004
【図３】
0003178237.tif 000005
【図４】
0003178237.tif 000006
【図５】
0003178237.tif 000007
【図６】
0003178237.tif 000008
【図７】
0003178237.tif 000009